(57)【要約】【課題】ユーザが画像を閲覧する際の状況に応じてより適切な画像の表示を実現する。【解決手段】複数の画像を上記各画像について設定されるエフェクト情報に従って時系列で表示部に表示させる表示制御部と、上記表示部の縦横比を判定する縦横比判定部と、縦横比ごとに設定された複数の上記エフェクト情報の中から、上記表示部の縦横比に対応するエフェクト情報を、上記複数の画像の表示に用いるエフェクト情報として選択するエフェクト情報選択部とを含む表示制御装置が提供される。【選択図】図１
2014034256.tif 000002
【特許請求の範囲】
【請求項１】
複数の画像を前記各画像について設定されるエフェクト情報に従って時系列で表示部に表示させる表示制御部と、
前記表示部の縦横比を判定する縦横比判定部と、
縦横比ごとに設定された複数の前記エフェクト情報の中から、前記表示部の縦横比に対応するエフェクト情報を、前記複数の画像の表示に用いるエフェクト情報として選択するエフェクト情報選択部と
を備える表示制御装置。
【請求項２】
前記エフェクト情報は、前記各画像が前記表示部に表示されるときの切り出し領域を定義する情報を含み、
前記縦横比ごとに設定された複数の前記エフェクト情報は、前記切り出し領域が異なる複数の前記エフェクト情報を含む、請求項１に記載の表示制御装置。
【請求項３】
前記切り出し領域は、前記縦横比と前記各画像の特徴量とに応じて決定された領域である、請求項２に記載の表示制御装置。
【請求項４】
前記エフェクト情報は、前記各画像が前記表示部に表示されるときに移動する方向を定義する情報を含み、
前記縦横比ごとに設定された複数の前記エフェクト情報は、前記方向が異なる複数の前記エフェクト情報を含む、請求項１に記載の表示制御装置。
【請求項５】
前記エフェクト情報選択部は、前記表示部の長辺方向により近い前記方向が定義されたエフェクト情報を選択する、請求項４に記載の表示制御装置。
【請求項６】
前記エフェクト情報は、前記各画像が前記表示部に表示されるときに移動する速度を定義する情報を含み、
前記縦横比ごとに設定された複数の前記エフェクト情報は、前記速度が異なる複数の前記エフェクト情報を含む、請求項１に記載の表示制御装置。
【請求項７】
前記エフェクト情報選択部は、前記表示部の長辺方向の成分がより大きい前記速度が定義されたエフェクト情報を選択する、請求項６に記載の表示制御装置。
【請求項８】
前記エフェクト情報は、前記各画像が前記表示部に表示されるときの位置を定義する情報を含み、
前記縦横比ごとに設定された複数の前記エフェクト情報は、前記位置が異なる複数の前記エフェクト情報を含む、請求項１に記載の表示制御装置。
【請求項９】
前記エフェクト情報は、前記表示部に同時に表示される複数の画像について前記位置を定義する情報を含み、
前記エフェクト情報選択部は、前記表示部に同時に表示される複数の画像の配列方向が前記表示部の長辺方向により近くなるように前記エフェクト情報を選択する、請求項８に記載の表示制御装置。
【請求項１０】
前記表示部をさらに備える、請求項１に記載の表示制御装置。
【請求項１１】
前記表示部が設置される筐体をさらに備え、
前記縦横比判定部は、ユーザによる前記筐体の把持方向の検出結果に基づいて前記表示部の縦横比を判定する、請求項１０に記載の表示制御装置。
【請求項１２】
前記縦横比ごとに設定された複数の前記エフェクト情報は、互いに逆比の関係にある２つの縦横比についてそれぞれ設定された前記エフェクト情報を含む、請求項１１に記載の表示制御装置。
【請求項１３】
前記表示部を有する外部装置と通信する通信部をさらに備え、
前記縦横比判定部は、前記外部装置から提供される情報に基づいて前記表示部の縦横比を判定する、請求項１に記載の表示制御装置。
【請求項１４】
前記エフェクト情報選択部は、前記表示部の縦横比に対応するエフェクト情報が存在しない場合、前記表示部の縦横比に最も近い縦横比について設定された前記エフェクト情報を選択する、請求項１に記載の表示制御装置。
【請求項１５】
前記選択されたエフェクト情報に対応する縦横比と前記表示部の縦横比との差分に応じて前記選択されたエフェクト情報を補正するエフェクト情報補正部をさらに備える、請求項１４に記載の表示制御装置。
【請求項１６】
前記表示制御部は、前記表示部に表示されている前記各画像に対するユーザの操作に応じて前記各画像の表示を変更し、
前記表示制御装置は、前記各画像の表示の変更に応じて前記選択されたエフェクト情報に含まれる前記各画像についての情報を変更するエフェクト情報変更部をさらに備える、請求項１に記載の表示制御装置。
【請求項１７】
前記表示制御部は、所定の基準でグループ化される画像群を該画像群の中の代表画像に置き換えて表示させることを定義する画像選択情報に従って前記複数の画像を前記表示部に表示させるとともに、前記表示部に表示されている前記代表画像に対するユーザの操作に応じて前記代表画像を前記画像群の中の他の画像に変更して表示させ、
前記表示制御装置は、前記代表画像の変更に応じて前記画像選択情報を変更する画像選択情報変更部をさらに備える、請求項１に記載の表示制御装置。
【請求項１８】
複数の画像を前記各画像について設定されるエフェクト情報に従って時系列で表示部に表示させる端末装置と、
縦横比ごとに複数の前記エフェクト情報を生成して前記端末装置に提供するサーバと
を含み、
前記端末装置は、前記表示部の縦横比を判定し、前記縦横比ごとに設定された複数のエフェクト情報の中から、前記表示部の縦横比に対応するエフェクト情報を、前記複数の画像の表示に用いるエフェクト情報として選択する、表示制御システム。
【請求項１９】
複数の画像を前記各画像について設定されるエフェクト情報に従って時系列で表示部に表示させることと、
前記表示部の縦横比を判定することと、
縦横比ごとに設定された複数の前記エフェクト情報の中から、前記表示部の縦横比に対応するエフェクト情報を、前記複数の画像の表示に用いるエフェクト情報として選択することと
を含む表示制御方法。
【発明の詳細な説明】
【技術分野】
【０００１】
本開示は、表示制御装置、表示制御システムおよび表示制御方法に関する。
【背景技術】
【０００２】
複数の画像を連続的に再生するスライドショーの提供は、端末装置において画像を閲覧するための一般的な手法である。このスライドショーに関して、さまざまな技術が提案されている。例えば、特許文献１には、スライドショー時のアスペクト比を予め設定し、画像のどの部分がアスペクト比に合わせて切り抜かれるかを表示画面で確認可能にする技術が開示されている。また、特許文献２には、スライドショーの提供にあたって画像を切り抜くときに、注目領域を検出することで、より適切な領域を切り抜く技術が開示されている。特許文献３には、アスペクト比が元の画像と異なる表示領域に画像を表示するときに、余白を設けて全体を表示するか余白をなくして一部分を表示するかを条件によって変更し、一部分を表示する際にはスクロールによって全体が表示されるようにする技術が開示されている。【０００３】
また、特許文献４には、再生中にリアルタイムにスライドショーを編集する技術が開示されている。ここでのスライドショーは、シナリオファイルに基づくスライドショーである。シナリオファイルでは、画像の表示タイミングや、画像の表示位置、ズーム率などが指定されている。特許文献４に記載の技術は、上記のようなシナリオファイルによって規定される個々の画像に関する動作を直接的に指定することである。一方、特許文献５には、スライドショー再生中に、画像の回転や切り抜きなどの編集を実行する技術が記載されている。
【先行技術文献】
【特許文献】
【０００４】
【特許文献１】特開２０１２−２３４７２号公報
【特許文献２】特開２０１１−５３２９６号公報
【特許文献３】特許第４５９２０９９号公報
【特許文献４】特開２０１０−２５６４８８号公報
【特許文献５】特開２０１０−１７２００９号公報
【発明の概要】
【発明が解決しようとする課題】
【０００５】
しかしながら、近年、ユーザが画像を閲覧する機会は一段と増加しており、ユーザが画像を閲覧する際の状況に応じてより適切な画像の表示を実現することが求められている。そこで、本開示では、ユーザが画像を閲覧する際の状況に応じてより適切な画像の表示を実現することが可能な、新規かつ改良された表示制御装置、表示制御システムおよび表示制御方法を提案する。
【課題を解決するための手段】
【０００６】
本開示によれば、複数の画像を上記各画像について設定されるエフェクト情報に従って時系列で表示部に表示させる表示制御部と、上記表示部の縦横比を判定する縦横比判定部と、縦横比ごとに設定された複数の上記エフェクト情報の中から、上記表示部の縦横比に対応するエフェクト情報を、上記複数の画像の表示に用いるエフェクト情報として選択するエフェクト情報選択部とを含む表示制御装置が提供される。【０００７】
また、本開示によれば、複数の画像を上記各画像について設定されるエフェクト情報に従って時系列で表示部に表示させる端末装置と、縦横比ごとに複数の上記エフェクト情報を生成して上記端末装置に提供するサーバとを含み、上記端末装置は、上記表示部の縦横比を判定し、上記縦横比ごとに設定された複数のエフェクト情報の中から、上記表示部の縦横比に対応するエフェクト情報を、上記複数の画像の表示に用いるエフェクト情報として選択する、表示制御システムが提供される。【０００８】
また、本開示によれば、複数の画像を上記各画像について設定されるエフェクト情報に従って時系列で表示部に表示させることと、上記表示部の縦横比を判定することと、縦横比ごとに設定された複数の上記エフェクト情報の中から、上記表示部の縦横比に対応するエフェクト情報を、上記複数の画像の表示に用いるエフェクト情報として選択することとを含む表示制御方法が提供される。
【発明の効果】
【０００９】
以上説明したように本開示によれば、ユーザが画像を閲覧する際の状況に応じてより適切な画像の表示を実現することができる。
【図面の簡単な説明】
【００１０】
【図１】本開示の第１の実施形態に係る端末装置の概略的な機能構成を示す図である。
【図２】本開示の第２の実施形態に係るシステムの概略的な機能構成を示す図である。
【図３】本開示の第３の実施形態に係る端末装置の概略的な機能構成を示す図である。
【図４】本開示の実施形態におけるエフェクト情報の一例を示す図である。
【図５】本開示の実施形態におけるエフェクト情報の別の例を示す図である。
【図６】本開示の実施形態における画像の表示領域の変更の例について説明するための図である。
【図７】本開示の実施形態における画像の表示領域の変更の例について説明するための図である。
【図８】本開示の実施形態における画像の表示領域の変更の例について説明するための図である。
【図９】本開示の実施形態における画像の表示領域の変更の例について説明するための図である。
【図１０】本開示の実施形態における画像の表示位置の変更の例について説明するための図である。
【図１１】本開示の実施形態における画像の表示位置の変更の例について説明するための図である。
【図１２】本開示の実施形態における画像の表示位置の変更の例について説明するための図である。
【図１３】本開示の実施形態における画像の表示位置の変更の例について説明するための図である。
【図１４】本開示の実施形態における画像のアニメーションの変更の例について説明するための図である。
【図１５】本開示の実施形態における画像のアニメーションの変更の例について説明するための図である。
【図１６】本開示の実施形態における画像のアニメーションの変更の例について説明するための図である。
【図１７】本開示の実施形態における画像のアニメーションの変更の例について説明するための図である。
【図１８】本開示の実施形態におけるさらなる表示例を示す図である。
【図１９】本開示の実施形態におけるさらなる表示例を示す図である。
【図２０】本開示の実施形態における縦横比の判定の第１の例について説明するための図である。
【図２１】本開示の実施形態における縦横比の判定の第２の例について説明するための図である。
【図２２】本開示の実施形態における縦横比の判定の第３の例について説明するための図である。
【図２３】本開示の実施形態におけるエフェクト情報の補正の例を示す図である。
【図２４】本開示の実施形態におけるエフェクト情報をユーザの操作に応じて変更する例を示す図である。
【図２５】図２４の例と同様にして、画像の位置を変更する例を示す図である。
【図２６】本開示の実施形態における代表画像をユーザの操作に応じて変更する例を示す図である。
【図２７】図２６の例におけるユーザインターフェースの例である。
【図２８】情報処理装置のハードウェア構成を説明するためのブロック図である。
【発明を実施するための形態】
【００１１】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１２】
なお、説明は以下の順序で行うものとする。
１．装置構成に関する実施形態
１−１．第１の実施形態
１−２．第２の実施形態
１−３．第３の実施形態
２．エフェクト情報の例
３．表示の例
３−１．表示領域の変更の例
３−２．表示位置の変更の例
３−３．アニメーションの変更の例
４．縦横比の判定の例
５．補正／変更の例
６．ハードウェア構成
７．補足
【００１３】
（１．装置構成に関する実施形態）
（１−１．第１の実施形態）
図１は、本開示の第１の実施形態に係る端末装置の概略的な機能構成を示す図である。図１を参照すると、端末装置１００は、表示部１１０、表示制御部１２０、操作部１３０、エフェクト情報選択部１４０、縦横比判定部１５０、およびセンサ１６０を含む。付加的に、端末装置１００は、補正／変更部１７０を含んでもよい。また、端末装置１００は、画像データ１８０、およびエフェクト情報１９０を利用可能である。これらの情報は、端末装置１００の内部に格納されていてもよいし、必要に応じてネットワーク上のストレージから取得されてもよい。
【００１４】
端末装置１００は、各種のＰＣ（Personal  Computer）、携帯電話（スマートフォンを含む）、メディアプレーヤ、またはゲーム機などであり、例えば後述する情報処理装置のハードウェア構成によって実現される。端末装置１００は、図示された機能構成以外にも、入出力やネットワーク通信などのための機能構成を適宜含みうる。
【００１５】
表示部１１０は、表示制御部１２０の制御に従って、画像を含む各種の情報をユーザに向けて表示する。表示制御部１２０は、操作部１３０によって取得されるユーザの操作入力に応じて、表示部１１０の表示を制御する。本実施形態において、表示制御部１２０は、複数の画像を各画像について設定されるエフェクト情報１９０に従って時系列で表示部１１０に表示させる。ここでいう複数の画像の時系列での表示は、一般的にスライドショーとも呼ばれるものでありうる。表示制御部１２０は、画像を表示するための画像データ１８０を取得するとともに、エフェクト情報選択部１４０が選択したエフェクト情報１９０を使用する。
【００１６】
エフェクト情報選択部１４０は、複数のエフェクト情報１９０の中から、表示制御部１２０が画像の表示に用いるエフェクト情報を選択する。ここで、エフェクト情報選択部１４０は、縦横比判定部１５０によって判定された表示部１１０の縦横比に対応するエフェクト情報１９０を選択する。つまり、エフェクト情報１９０は、想定される表示部の縦横比ごとに設定されており、エフェクト情報選択部１４０は、その中から、表示部１１０の縦横比に合ったエフェクト情報を選択する。エフェクト情報は、例えば、画像が表示部に表示されるときの切り出し領域、画像が表示部に表示されるときに移動する方向もしくは速度、または画像の表示部での表示位置などを定義する情報を含みうる。
【００１７】
縦横比判定部１５０は、センサ１６０の検出結果に基づいて、表示部１１０の縦横比を判定する。ここで判定される縦横比では、例えば４：３と３：４のように、縦長と横長とが区別される。本実施形態では、例えば加速度センサであるセンサ１６０によって、端末装置１００の筐体の把持方向が検出され、縦横比判定部１５０はこれに基づいて表示部１１０の縦横比を判定する。例えば、表示部１１０が４：３のアスペクト比をもつ画面である場合に、筐体が縦長の方向で把持されていれば、縦横比判定部１５０は、表示部１１０の縦横比が横：縦＝３：４であると判定する。一方、筐体が横長の方向で把持されていれば、縦横比判定部１５０は、表示部１１０の縦横比が横：縦＝４：３であると判定する。
【００１８】
なお、縦横比判定部１５０は、上記の例のように互いに逆比の関係にある縦横比を判定するだけではなく、比自体が異なる縦横比を判定してもよい。例えば、縦横比判定部１５０は、表示部１１０の縦横比が４：３であるか１６：９であるかを判定してもよい。このような比自体の相違は、例えば端末装置１００自体が設定情報として保持している表示部１１０のサイズ（縦横のピクセル比など）の情報に基づいて判定されうる。
【００１９】
補正／変更部１７０は、付加的に設けられ、以下の機能の一部または全部を提供する。例えば、補正／変更部１７０は、予め設定されたエフェクト情報に対応する縦横比と表示部１１０の縦横比との間に差分がある場合、表示部１１０の縦横比に最も近い縦横比に対応するエフェクト情報を、表示部１１０の縦横比との差分に応じて補正して、より適切なエフェクト情報を得る。また、例えば、補正／変更部１７０は、表示制御部１２０が表示部１１０に表示されている画像に対するユーザの操作に応じて画像の表示を変更する場合に、当該表示の変更に応じてエフェクト情報に定義される各画像についての情報を変更してもよい。さらに、例えば、補正／変更部１７０は、表示制御部１２０が画像をグループ化して表示部１１０に表示させる場合に、ユーザの操作に応じてグループの代表画像を変更してもよい。
【００２０】
（１−２．第２の実施形態）
図２は、本開示の第２の実施形態に係るシステムの概略的な機能構成を示す図である。図２を参照すると、システム１０は、端末装置２００と、サーバ３００とを含む。端末装置２００は、上記の第１の実施形態の端末装置１００と同様にして実現されうる。サーバ３００は、端末のサーバ装置、または有線もしくは無線の各種ネットワークによって接続された複数のサーバ装置の協働によって実現される機能の集合体である。各サーバ装置は、例えば後述する情報処理装置のハードウェア構成によって実現される。各サーバ装置は、図示された機能構成以外にも、入出力やネットワーク通信などのための機能構成を適宜含みうる。端末装置２００とサーバ３００とは、有線または無線の各種ネットワークによって接続される。
【００２１】
端末装置２００とサーバ３００とは、全体として、第１の実施形態の端末装置１００と同様の機能を実現する。つまり、端末装置２００は、複数の画像を各画像について設定されるエフェクト情報に従って時系列で表示部に表示させる。サーバ３００は、表示部の縦横比ごとに複数のエフェクト情報を生成して端末装置２００に提供する。ここで、端末装置２００は、表示部１１０の縦横比を判定して、縦横比ごとに設定された複数のエフェクト情報の中から、表示部１１０の縦横比に対応するエフェクト情報を、画像の表示に用いるエフェクト情報として選択する。
【００２２】
本実施形態の例に示されるように、ここで本開示の実施形態に関して説明されるそれぞれの機能構成は、端末装置において実現されてもよく、サーバにおいて実現されてもよい。従って、本開示の実施形態としては、ここまでで説明した第１の実施形態や第２の実施形態に限らず、各機能が端末装置およびサーバに分散して実現される様々な実施形態が可能である。
【００２３】
（１−３．第３の実施形態）
図３は、本開示の第３の実施形態に係る端末装置の概略的な機能構成を示す図である。図３を参照すると、端末装置４００は、上記の第１の実施形態の端末装置１００と異なる機能として、通信部４１０と、縦横比判定部４５０とを含む。端末装置４００は、有線または無線の各種ネットワークによって接続された表示装置５００に、画像を含む各種の情報を表示させる。従って、この場合、表示制御部１２０は、通信部４１０を介して、表示装置５００の表示部に画像を表示させる。一方、縦横比判定部４５０は、通信部４１０を介して表示装置５００から情報を取得し、この情報に基づいて、表示装置５００の表示部の縦横比を判定する。
【００２４】
このように、本開示の実施形態に係る端末装置は、外部装置に画像を表示させ、それ自身は表示部を有さない装置であってもよい。あるいは、端末装置は、自らが有する表示部に代えて、またはこれとともに、外部装置の表示部に画像を表示させてもよい。なお、本実施形態についても、上記の第１および第２の実施形態のように、端末装置の機能構成がサーバによって実現される変形例が可能である。
【００２５】
（２．エフェクト情報の例）
図４に、本開示の実施形態におけるエフェクト情報の一例を示す。エフェクト情報６００は、例えば、テーマＩＤ６０１、楽曲情報６０３、リソース情報６０５、およびエフェクトパターン情報６０７を含む。
【００２６】
テーマＩＤ６０１は、エフェクト情報６００によって示されるエフェクトを全体的に識別するためのＩＤである。図示された例では、テーマＩＤ６０１として“ｓｐａｃｅ”が与えられている。
【００２７】
楽曲情報６０３は、画像の表示中に再生される楽曲を定義する情報である。図示されるように、楽曲情報６０３は、楽曲を識別する情報、および楽曲の再生時間を示す情報に加えて、楽曲に関する付加的な情報を含んでもよい。
【００２８】
リソース情報６０５は、エフェクト情報６００を用いた表示の対象になる画像を定義する情報である。図示された例では３つの画像が定義されているが、さらに多くの画像が定義されてもよい。
【００２９】
エフェクトパターン情報６０７は、エフェクト情報６００に含まれるエフェクトパターンを定義する情報である。例えば、エフェクトパターン情報６０７ａは、ｔｙｐｅ＝“０１２”として識別されるエフェクトパターンを定義している。また、エフェクトパターン情報６０７ｂは、ｔｙｐｅ＝“００４”として識別されるエフェクトパターンを定義している。
【００３０】
図示された例において、エフェクトパターンは、画像表示の開始および終了に関するタイミング（ｓｈｏｗ，ｓｔａｒｔ，ｅｎｄ，ｈｉｄｅ）を定義するとともに、表示される画像の表示領域（切り出し範囲）を定義している。エフェクトパターン情報６０７ａの場合、“ｉｄ＝０”の画像について、ｘ＝０．０５，ｙ＝０の位置から、ｗ（幅）＝０．８、ｈ（高さ）＝１の範囲を切り出して表示する。
【００３１】
ここで、エフェクトパターン情報６０７において、上記の表示領域の情報は、“３＿４”と“４＿３”との２通りについて定義されている。図示された例では、これが、表示部の縦横比ごとに設定された複数のエフェクト情報にあたる。端末装置がエフェクト情報６００を用いて画像を表示する場合に、エフェクト情報選択部は、表示部の縦横比が３：４であれば“３＿４”について定義された表示領域の情報を選択する。一方、エフェクト情報選択部は、表示部の縦横比が４：３であれば“４＿３について定義された表示領域の情報を選択する。
【００３２】
なお、図示されたエフェクト情報は一例にすぎず、本開示の実施形態では他のあらゆる形式でエフェクト情報を記述することが可能である。例えば、エフェクト情報はマークアップ言語以外の形式で記述されてもよい。また、表示部の縦横比ごとに設定された複数のエフェクト情報は、必ずしも上記のように直接的に縦横比を示す文字列によって識別されなくてもよく、任意の識別方法が用いられうる。また、表示部の縦横比ごとに、エフェクト情報全体（上記の例でいうエフェクト情報６００）として異なるものが選択されてもよい。さらに、上述したように、表示部の縦横比は、例えば３：４と４：３のような、互いに逆比の関係にあるものには限られない。従って、上記の例でいえば、“９＿１６”、“１６＿９”のように、さらに別の縦横比に対応するエフェクト情報が定義されてもよい。
【００３３】
図５は、本開示の実施形態におけるエフェクト情報の別の例を示す。図示された例では、リソース情報６１１として、画像のアドレス（ＵＲＬ：Uniform  Resource  Locatorなど）の情報ではなく、画像を取得するためのコマンドが記載される。このコマンドは、例えば、ネットワーク上で画像を保管するサービスでのＡＰＩ（Application  Program  Interface）として提供されるものでありうる。このような構成によれば、表示中に、表示対象の画像を動的に差し替えることができる。
【００３４】
以下、上記のようなエフェクト情報を用いて実現されうる画像の表示の具体的な例について説明する。なお、例示されるような画像の表示を実現するために、エフェクト情報は、上記の例で示した情報以外にも様々な情報（例えばアニメーション表示に関する情報など）を含みうる。具体的にどのような情報が記述されるかについては、例えば上述したようなスライドショー表示のための技術として既に知られているため、ここでは詳細な説明を省略する。
【００３５】
（３．表示の例）
（３−１．表示領域の変更の例）
図６〜図９は、本開示の実施形態における画像の表示領域の変更の例について説明するための図である。図６に示されるように、本開示の実施形態では、表示部の縦横比（図示された例では、Ｌａｎｄｓｃａｐｅ（４：３）とＰｏｒｔｒａｉｔ（３：４））に応じて、元の画像（Ｓｏｕｒｃｅ）の異なる部分が表示領域として切り出される。ここで切り出される領域は、例えば特開２０１１−１９３１２５号公報に記載された技術を用いて、縦横比と各画像の特徴量とに応じて、縦横比ごとに適切な構図を設定して選択されたものでありうる。
【００３６】
これによって、図７に示されるように、表示される画像では、表示部の縦横比に応じて適切な（見栄えのよい）表示領域が切り出されて表示される。このとき、画像の種類によっては、切り出される領域が全く異なる場合もあるため、表示部の縦横比に応じて同じ画像を全く異なる画像のように見せるという意外性のある効果も期待される。
【００３７】
図８および図９に示される例でも、表示部の縦横比に応じて、表示領域として切り出す部分が変更される。この場合、中心に配置される被写体（人物）は同じであるが、表示部が縦長の場合と横長の場合とで、背景を含めて切り出すか、人物をより大きく切り出すかが異なり、それぞれの表示部の縦横比に応じた適切な表示領域の切り出しが実現されている。
【００３８】
（３−２．表示位置の変更の例）
図１０〜図１３は、本開示の実施形態における画像の表示位置の変更の例について説明するための図である。図１０および図１１は、表示部の縦横比が横長（ｌａｎｄｓｃａｐｅ）である場合の画像の表示例を示す。この場合、画像７０１ａ〜７０１ｇは、表示部に横方向に配列される。一方、図１２および図１３は、表示部の縦横比が縦長（ｐｏｒｔｒａｉｔ）である場合の画像の表示例を示す。この場合、画像７０３ａ〜７０３ｇ（元の画像は画像７０１ａ〜７０１ｇと同じ）は、表示部に縦方向に配列される。このように、本開示の実施形態において、エフェクト情報は、画像の配置位置を定義する情報を含み、表示部に同時に表示される複数の画像の配列方向が、表示部の長辺方向により近くなるように選択されうる。
【００３９】
また、図１０〜図１３の例では、各画像の表示位置が変更されるとともに、各画像の表示領域も変更されている。例えば、図１０および図１１の例では画像７０１ａが横長の領域に表示されているが、図１２および図１３の例では画像７０３ａ（元の画像は画像７０１ａと同じ）が縦長の領域に表示されている。これらの画像の表示領域は、上記の表示領域の変更の例で説明したのと同様にして、それぞれの場合に画像が表示される領域の形状に応じてそれぞれ選択されうる。なお、画像の表示位置の変更は、必ずしも各画像の表示領域の変更を伴わなくてもよい（例えば、各画像が隙間を開けて配列される場合など）。
【００４０】
（３−３．アニメーションの変更の例）
図１４〜図１７は、本開示の実施形態における画像のアニメーションの変更の例について説明するための図である。図１４および図１５は、表示部の縦横比が横長（ｌａｎｄｓｃａｐｅ）である場合の画像の表示例を示す。この場合、画像８０１ａ〜８０１ｃは、表示部で横方向に移動して表示される。一方、図１６および図１７は、表示部の縦横比が縦長（ｐｏｒｔｒａｉｔ）である場合の画像の表示例を示す。この場合、画像８０３ａ〜８０３ｃ（元の画像は画像８０１ａ〜８０１ｃと同じ）は、表示部で縦方向に移動して表示される。このように、本開示の実施形態において、エフェクト情報は、画像の移動方向を定義する情報を含み、各画像の表示部での移動方向が表示部の長辺方向により近くなるように選択されうる。
【００４１】
より具体的にいうと、表示部の縦横比が横長（ｌａｎｄｓｃａｐｅ）である場合、図１４に示すように、３枚の画像８０１ａ〜８０１ｃが回転しながら表示部の右側から順次登場し、左右方向に配列して表示される。このときの表示例を図１５に示す。その後、画像８０１ａ〜８０１ｃは、回転しながら表示部の左側から順次退場する。
【００４２】
一方、表示部の縦横比が縦長（ｐｏｒｔｒａｉｔ）である場合、図１６に示すように、３枚の画像８０３ａ〜８０３ｃが回転しながら表示部の下側から順次登場し、左右方向に配列して表示される。このときの表示例を図１７に示す。その後、画像８０３ａ〜８０３ｃは、回転しながら表示部の上側から順次退場する。
【００４３】
ここで、図１５と図１７とを参照すれば明らかなように、各画像のアニメーションが変更されるとともに、各画像の表示領域も変更されている。例えば、図１５の例では画像８０１ａが横長の領域に表示されているが、図１７の例では画像８０３ａ（元の画像は画像８０１ａと同じ）が縦長の領域に表示されている。これらの画像の表示領域は、上記の表示領域の変更の例で説明したのと同様にして、それぞれの場合に画像が表示される領域の形状に応じてそれぞれ選択されうる。なお、画像のアニメーションの変更は、必ずしも各画像の表示領域の変更を伴わなくてもよい（例えば、各画像が隙間を開けて移動する場合など）。
【００４４】
なお、ここで、アニメーションにおける各画像の移動方向は、表示部の長辺方向／短辺方向とは必ずしも一致しない。そこで、エフェクト情報は、画像が表示部に表示されるときに移動する速度を定義する情報を含み、表示部の長辺方向の速度成分がより大きくなるように選択されてもよい。
【００４５】
さらなる表示例を、図１８および図１９に示す。図１８は表示部の縦横比が横長（ｌａｎｄｓｃａｐｅ）である場合の画像の表示例を示し、図１９は表示部の縦横比が縦長（ｐｏｒｔｒａｉｔ）である場合の画像の表示例を示す。
【００４６】
（４．縦横比の判定の例）
図２０は、本開示の実施形態における縦横比の判定の第１の例について説明するための図である。図示された例では、端末装置１０００の筐体１００１が把持されている向きに基づいて、端末装置１０００の筐体１００１に設けられた表示部１００３の縦横比が判定される。つまり、筐体１００１が縦長の方向に把持されていれば表示部１００３の縦横比も縦長であると判定され、筐体１００１が横長の方向に把持されていれば表示部１００３の縦横比も横長であると判定される。この場合、エフェクト情報は、互いに逆比の関係にある２つの縦横比についてそれぞれ設定されたエフェクト情報を含む。
【００４７】
図２１は、本開示の実施形態における縦横比の判定の第２の例について説明するための図である。図示された例では、端末装置１０００の表示部１００３に表示されたウインドウ１００５のサイズに基づいて、表示部１００３の縦横比が判定される。つまり、この場合、表示部１００３の縦横比は、表示部１００３の中で画像を表示するアプリケーションのために用いられるウインドウの縦横比として解釈される。
【００４８】
図２２は、本開示の実施形態における縦横比の判定の第３の例について説明するための図である。図示された例では、端末装置１０００の表示部１００３に表示されたウインドウ１００５のサイズに基づいて、表示部１００３の縦横比が判定される。つまり、この場合、表示部１００３の縦横比は、表示部１００３の中で画像を表示するアプリケーションのために用いられるウインドウの縦横比として解釈される。ただし、図２２の例では、ウインドウが全画面表示されたり、分割されて表示部１００３の半分の領域に表示されたりしている。このような場合、ウインドウサイズ１００５のサイズの変更は、必ずしもウインドウのサイズ変更の操作によって実行されるとは限らない。そこで、縦横比判定部は、全画面表示とウインドウ表示の切替えや、ウインドウの分割、サブメニューの表示などの操作を検出して、表示部１００３の縦横比を判定する。
【００４９】
（５．補正／変更の例）
図２３は、エフェクト情報の補正の例を示す図である。図示された例では、表示部の縦横比が、上記の図１８に例示したものよりもさらに横長である。予め用意されたエフェクト情報にはこのような縦横比に対応するものがない場合、エフェクト情報選択部は、表示部の縦横比に最も近い縦横比のエフェクト情報（この例では図１８のエフェクト情報）を選択する。補正／変更部は、これをもとにして、これを実際の表示部の縦横比との差分に基づいて補正してもよい（エフェクト情報補正部として機能する）。図示された例のような極端な例でなくとも、例えばメニューバーの表示などによって表示部の縦横比が画面全体の縦横比（例えば４：３、１６：９）とはずれている場合もあるため、そのような場合にエフェクト情報を微調整することは有用である。
【００５０】
図２４は、エフェクト情報をユーザの操作に応じて変更する例を示す図である。図示された例では、表示部に表示された画像への操作によって、表示部の中での表示領域を変更している（上側に表示されたバスの画像で、表示されるのが先頭部から中間部へと変更されている）。この場合、補正／変更部は、変更をエフェクト情報に記録してもよい（エフェクト情報変更部として機能する）。図２５は、図２４の例と同様にして、画像の位置を変更する例を示す図である。
【００５１】
図２６は、代表画像をユーザの操作に応じて変更する例を示す図である。図示された例では、表示部に表示された画像への操作によって、グループ化された画像の中について表示される代表画像を変更している。この場合、表示制御部は、所定の基準でグループ化される画像群を該画像群の中の代表画像に置き換えて表示させることを定義する画像選択情報に従って複数の画像を表示部に表示させ、表示部に表示されている代表画像に対するユーザの操作に応じて代表画像を画像群の中の他の画像に変更して表示させる。このとき、補正／変更部は、ユーザの操作による代表画像の変更に応じて画像選択情報を変更する画像選択情報変更部として機能する。なお、画像選択情報は、図１〜図３の例では、エフェクト情報１９０に含まれうる。このとき、表示部では、図２７に示すように、変更可能な代表画像１１０１をめくって新たな代表画像１１０３に変更するようなユーザインターフェースが表示されてもよい。
【００５２】
（６．ハードウェア構成）
次に、図２８を参照して、本開示の実施形態に係る情報処理装置のハードウェア構成について説明する。図２８は、情報処理装置のハードウェア構成を説明するためのブロック図である。図示された情報処理装置９００は、例えば、上記の実施形態における端末装置およびサーバ装置を実現しうる。
【００５３】
情報処理装置９００は、ＣＰＵ（Central  Processing  unit）９０１、ＲＯＭ（Read  Only  Memory）９０３、およびＲＡＭ（Random  Access  Memory）９０５を含む。また、情報処理装置９００は、ホストバス９０７、ブリッジ９０９、外部バス９１１、インターフェース９１３、入力装置９１５、出力装置９１７、ストレージ装置９１９、ドライブ９２１、接続ポート９２３、通信装置９２５を含んでもよい。さらに、情報処理装置９００は、必要に応じて、撮像装置９３３、およびセンサ９３５を含んでもよい。情報処理装置９００は、ＣＰＵ９０１に代えて、またはこれとともに、ＤＳＰ（Digital  Signal  Processor）などの処理回路を有してもよい。
【００５４】
ＣＰＵ９０１は、演算処理装置および制御装置として機能し、ＲＯＭ９０３、ＲＡＭ９０５、ストレージ装置９１９、またはリムーバブル記録媒体９２７に記録された各種プログラムに従って、情報処理装置９００内の動作全般またはその一部を制御する。ＲＯＭ９０３は、ＣＰＵ９０１が使用するプログラムや演算パラメータなどを記憶する。ＲＡＭ９０５は、ＣＰＵ９０１の実行において使用するプログラムや、その実行において適宜変化するパラメータなどを一次記憶する。ＣＰＵ９０１、ＲＯＭ９０３、およびＲＡＭ９０５は、ＣＰＵバスなどの内部バスにより構成されるホストバス９０７により相互に接続されている。さらに、ホストバス９０７は、ブリッジ９０９を介して、ＰＣＩ（Peripheral  Component  Interconnect/Interface）バスなどの外部バス９１１に接続されている。
【００５５】
入力装置９１５は、例えば、マウス、キーボード、タッチパネル、ボタン、スイッチおよびレバーなど、ユーザによって操作される装置である。入力装置９１５は、例えば、赤外線やその他の電波を利用したリモートコントロール装置であってもよいし、情報処理装置９００の操作に対応した携帯電話などの外部接続機器９２９であってもよい。入力装置９１５は、ユーザが入力した情報に基づいて入力信号を生成してＣＰＵ９０１に出力する入力制御回路を含む。ユーザは、この入力装置９１５を操作することによって、情報処理装置９００に対して各種のデータを入力したり処理動作を指示したりする。
【００５６】
出力装置９１７は、取得した情報をユーザに対して視覚的または聴覚的に通知することが可能な装置で構成される。出力装置９１７は、例えば、ＬＣＤ（Liquid  Crystal  Display）、ＰＤＰ（Plasma  Display  Panel）、有機ＥＬ（Electro-Luminescence）ディスプレイなどの表示装置、スピーカおよびヘッドホンなどの音声出力装置、ならびにプリンタ装置などでありうる。出力装置９１７は、情報処理装置９００の処理により得られた結果を、テキストまたは画像などの映像として出力したり、音声または音響などの音声として出力したりする。
【００５７】
ストレージ装置９１９は、情報処理装置９００の記憶部の一例として構成されたデータ格納用の装置である。ストレージ装置９１９は、例えば、ＨＤＤ（Hard  Disk  Drive）などの磁気記憶部デバイス、半導体記憶デバイス、光記憶デバイス、または光磁気記憶デバイスなどにより構成される。このストレージ装置９１９は、ＣＰＵ９０１が実行するプログラムや各種データ、および外部から取得した各種のデータなどを格納する。
【００５８】
ドライブ９２１は、磁気ディスク、光ディスク、光磁気ディスク、または半導体メモリなどのリムーバブル記録媒体９２７のためのリーダライタであり、情報処理装置９００に内蔵、あるいは外付けされる。ドライブ９２１は、装着されているリムーバブル記録媒体９２７に記録されている情報を読み出して、ＲＡＭ９０５に出力する。また、ドライブ９２１は、装着されているリムーバブル記録媒体９２７に記録を書き込む。
【００５９】
接続ポート９２３は、機器を情報処理装置９００に直接接続するためのポートである。接続ポート９２３は、例えば、ＵＳＢ（Universal  Serial  Bus）ポート、ＩＥＥＥ１３９４ポート、ＳＣＳＩ（Small  Computer  System  Interface）ポートなどでありうる。また、接続ポート９２３は、ＲＳ−２３２Ｃポート、光オーディオ端子、ＨＤＭＩ（High-Definition  Multimedia  Interface）ポートなどであってもよい。接続ポート９２３に外部接続機器９２９を接続することで、情報処理装置９００と外部接続機器９２９との間で各種のデータが交換されうる。
【００６０】
通信装置９２５は、例えば、通信ネットワーク９３１に接続するための通信デバイスなどで構成された通信インターフェースである。通信装置９２５は、例えば、有線または無線ＬＡＮ（Local  Area  Network）、Ｂｌｕｅｔｏｏｔｈ（登録商標）、またはＷＵＳＢ（Wireless  USB）用の通信カードなどでありうる。また、通信装置９２５は、光通信用のルータ、ＡＤＳＬ（Asymmetric  Digital  Subscriber  Line）用のルータ、または、各種通信用のモデムなどであってもよい。通信装置９２５は、例えば、インターネットや他の通信機器との間で、ＴＣＰ／ＩＰなどの所定のプロトコルを用いて信号などを送受信する。また、通信装置９２５に接続される通信ネットワーク９３１は、有線または無線によって接続されたネットワークであり、例えば、インターネット、家庭内ＬＡＮ、赤外線通信、ラジオ波通信または衛星通信などである。
【００６１】
撮像装置９３３は、例えば、ＣＣＤ（Charge  Coupled  Device）またはＣＭＯＳ（Complementary  Metal  Oxide  Semiconductor）などの撮像素子、および撮像素子への被写体像の結像を制御するためのレンズなどの各種の部材を用いて実空間を撮像し、撮像画像を生成する装置である。撮像装置９３３は、静止画を撮像するものであってもよいし、また動画を撮像するものであってもよい。
【００６２】
センサ９３５は、例えば、加速度センサ、ジャイロセンサ、地磁気センサ、光センサ、音センサなどの各種のセンサである。センサ９３５は、例えば情報処理装置９００の筐体の姿勢など、情報処理装置９００自体の状態に関する情報や、情報処理装置９００の周辺の明るさや騒音など、情報処理装置９００の周辺環境に関する情報を取得する。また、センサ９３５は、ＧＰＳ（Global  Positioning  System）信号を受信して装置の緯度、経度および高度を測定するＧＰＳセンサを含んでもよい。
【００６３】
以上、情報処理装置９００のハードウェア構成の一例を示した。上記の各構成要素は、汎用的な部材を用いて構成されていてもよいし、各構成要素の機能に特化したハードウェアにより構成されていてもよい。かかる構成は、実施する時々の技術レベルに応じて適宜変更されうる。
【００６４】
（７．補足）
本開示の実施形態は、例えば、上記で説明したような表示制御装置（端末装置またはサーバ装置）、システム、表示制御装置またはシステムで実行される表示制御方法、表示制御装置を機能させるためのプログラム、およびプログラムが記録された記録媒体を含みうる。
【００６５】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【００６６】
なお、以下のような構成も本開示の技術的範囲に属する。
（１）複数の画像を前記各画像について設定されるエフェクト情報に従って時系列で表示部に表示させる表示制御部と、
前記表示部の縦横比を判定する縦横比判定部と、
縦横比ごとに設定された複数の前記エフェクト情報の中から、前記表示部の縦横比に対応するエフェクト情報を、前記複数の画像の表示に用いるエフェクト情報として選択するエフェクト情報選択部と
を備える表示制御装置。
（２）前記エフェクト情報は、前記各画像が前記表示部に表示されるときの切り出し領域を定義する情報を含み、
前記縦横比ごとに設定された複数の前記エフェクト情報は、前記切り出し領域が異なる複数の前記エフェクト情報を含む、前記（１）に記載の表示制御装置。
（３）前記切り出し領域は、前記縦横比と前記各画像の特徴量とに応じて決定された領域である、前記（２）に記載の表示制御装置。
（４）前記エフェクト情報は、前記各画像が前記表示部に表示されるときに移動する方向を定義する情報を含み、
前記縦横比ごとに設定された複数の前記エフェクト情報は、前記方向が異なる複数の前記エフェクト情報を含む、前記（１）〜（３）のいずれか１項に記載の表示制御装置。
（５）前記エフェクト情報選択部は、前記表示部の長辺方向により近い前記方向が定義されたエフェクト情報を選択する、前記（４）に記載の表示制御装置。
（６）前記エフェクト情報は、前記各画像が前記表示部に表示されるときに移動する速度を定義する情報を含み、
前記縦横比ごとに設定された複数の前記エフェクト情報は、前記速度が異なる複数の前記エフェクト情報を含む、前記（１）〜（５）のいずれか１項に記載の表示制御装置。
（７）前記エフェクト情報選択部は、前記表示部の長辺方向の成分がより大きい前記速度が定義されたエフェクト情報を選択する、前記（６）に記載の表示制御装置。
（８）前記エフェクト情報は、前記各画像が前記表示部に表示されるときの位置を定義する情報を含み、
前記縦横比ごとに設定された複数の前記エフェクト情報は、前記位置が異なる複数の前記エフェクト情報を含む、前記（１）〜（７）のいずれか１項に記載の表示制御装置。
（９）前記エフェクト情報は、前記表示部に同時に表示される複数の画像について前記位置を定義する情報を含み、
前記エフェクト情報選択部は、前記表示部に同時に表示される複数の画像の配列方向が前記表示部の長辺方向により近くなるように前記エフェクト情報を選択する、前記（８）に記載の表示制御装置。
（１０）前記表示部をさらに備える、前記（１）〜（９）のいずれか１項に記載の表示制御装置。
（１１）前記表示部が設置される筐体をさらに備え、
前記縦横比判定部は、ユーザによる前記筐体の把持方向の検出結果に基づいて前記表示部の縦横比を判定する、前記（１０）に記載の表示制御装置。
（１２）前記縦横比ごとに設定された複数の前記エフェクト情報は、互いに逆比の関係にある２つの縦横比についてそれぞれ設定された前記エフェクト情報を含む、前記（１１）に記載の表示制御装置。
（１３）前記表示部を有する外部装置と通信する通信部をさらに備え、
前記縦横比判定部は、前記外部装置から提供される情報に基づいて前記表示部の縦横比を判定する、前記（１）〜（９）のいずれか１項に記載の表示制御装置。
（１４）前記エフェクト情報選択部は、前記表示部の縦横比に対応するエフェクト情報が存在しない場合、前記表示部の縦横比に最も近い縦横比について設定された前記エフェクト情報を選択する、前記（１）〜（１３）のいずれか１項に記載の表示制御装置。
（１５）前記選択されたエフェクト情報に対応する縦横比と前記表示部の縦横比との差分に応じて前記選択されたエフェクト情報を補正するエフェクト情報補正部をさらに備える、前記（１４）に記載の表示制御装置。
（１６）前記表示制御部は、前記表示部に表示されている前記各画像に対するユーザの操作に応じて前記各画像の表示を変更し、
前記表示制御装置は、前記各画像の表示の変更に応じて前記選択されたエフェクト情報に含まれる前記各画像についての情報を変更するエフェクト情報変更部をさらに備える、前記（１）〜（１５）のいずれか１項に記載の表示制御装置。
（１７）前記表示制御部は、所定の基準でグループ化される画像群を該画像群の中の代表画像に置き換えて表示させることを定義する画像選択情報に従って前記複数の画像を前記表示部に表示させるとともに、前記表示部に表示されている前記代表画像に対するユーザの操作に応じて前記代表画像を前記画像群の中の他の画像に変更して表示させ、
前記表示制御装置は、前記代表画像の変更に応じて前記画像選択情報を変更する画像選択情報変更部をさらに備える、前記（１）〜（１６）のいずれか１項に記載の表示制御装置。
（１８）複数の画像を前記各画像について設定されるエフェクト情報に従って時系列で表示部に表示させる端末装置と、
縦横比ごとに複数の前記エフェクト情報を生成して前記端末装置に提供するサーバと
を含み、
前記端末装置は、前記表示部の縦横比を判定し、前記縦横比ごとに設定された複数のエフェクト情報の中から、前記表示部の縦横比に対応するエフェクト情報を、前記複数の画像の表示に用いるエフェクト情報として選択する、表示制御システム。
（１９）複数の画像を前記各画像について設定されるエフェクト情報に従って時系列で表示部に表示させることと、
前記表示部の縦横比を判定することと、
縦横比ごとに設定された複数の前記エフェクト情報の中から、前記表示部の縦横比に対応するエフェクト情報を、前記複数の画像の表示に用いるエフェクト情報として選択することと
を含む表示制御方法。
【符号の説明】
【００６７】
１００，２００，４００    端末装置
１２０    表示制御部
１４０    エフェクト情報選択部
１５０    縦横比判定部
１７０    補正／変更部
３００    サーバ
５００    表示装置
【図１】
2014034256.tif 000003
【図２】
2014034256.tif 000004
【図３】
2014034256.tif 000005
【図４】
2014034256.tif 000006
【図５】
2014034256.tif 000007
【図６】
2014034256.tif 000008
【図７】
2014034256.tif 000009
【図８】
2014034256.tif 000010
【図９】
2014034256.tif 000011
【図１０】
2014034256.tif 000012
【図１１】
2014034256.tif 000013
【図１２】
2014034256.tif 000014
【図１３】
2014034256.tif 000015
【図１４】
2014034256.tif 000016
【図１５】
2014034256.tif 000017
【図１６】
2014034256.tif 000018
【図１７】
2014034256.tif 000019
【図１８】
2014034256.tif 000020
【図１９】
2014034256.tif 000021
【図２０】
2014034256.tif 000022
【図２１】
2014034256.tif 000023
【図２２】
2014034256.tif 000024
【図２３】
2014034256.tif 000025
【図２４】
2014034256.tif 000026
【図２５】
2014034256.tif 000027
【図２６】
2014034256.tif 000028
【図２７】
2014034256.tif 000029
【図２８】
2014034256.tif 000030
【国際調査報告】
2014034256.tif 000031
2014034256.tif 000032
2014034256.tif 000033
2014034256.tif 000034